(57)【要約】【課題】各装置状態で使用可能な操作ボタンを適切に示すことができる表示装置およびプログラムを提供する。【解決手段】ＦＲＯＭ１２に、プロジェクタ１の状態と各装置状態で有効な操作候補となる操作ボタンとの対応を示す有効ボタンテーブル５０を設ける。プロジェクタ１では、リモートコントローラ１６からのコマンドを受信すると、ＦＲＯＭ１２の有効ボタンテーブル５０を参照して、現在のプロジェクタ１の状態から次に有効となるボタンのライト点灯情報を取得して、リモートコントローラ１６に送信する。リモートコントローラ１６は、取得したライト点灯情報に基づいて、ライトアレイ５５中のＬＥＤ素子の中から対応するボタンのものを点灯させる。これにより、各装置状態において、有効となるボタンが点灯される。【選択図】図２
2009217663.tif 000002
【特許請求の範囲】
【請求項１】
ライトを内蔵したＮ個（但し、ＮはＮ≧２となる整数）の操作ボタンを有する操作手段と、
複数の装置状態と、前記Ｎ個の操作ボタンのうち各装置状態において操作候補となるＭ個（但し、Ｍは２≦Ｍ≦Ｎとなる整数）の前記操作ボタンとを対応付けた対応テーブルを記憶する記憶手段と、
前記装置状態の変化毎に前記対応テーブルを参照し、変化後の前記装置状態において操作候補となる前記Ｍ個の操作ボタンに内蔵された前記ライトを点灯させる制御手段と、
を有することを特徴とする表示装置。
【請求項２】
前記操作手段は、表示装置本体を遠隔操作するためのリモートコントローラであって、
前記制御手段は、操作候補となる各操作ボタンに内蔵されたライトを点灯させるためのライト点灯情報を前記リモートコントローラに送信することによって点灯制御することを特徴とする請求項１に記載の表示装置。
【請求項３】
前記Ｎ個の操作ボタンは、色違いの複数のライトを内蔵しており、
且つ、前記対応テーブルは、各装置状態において操作候補となる各操作ボタンに対し、それぞれ操作優先度を関連付けて記憶しており、
前記制御手段は、前記色違いの複数のライトのうち前記操作優先度に応じた色のライトを点灯させることを特徴とする請求項１または２に記載の表示装置。
【請求項４】
前記対応テーブルは、各装置状態において操作候補となる各操作ボタンに対し、それぞれ操作優先度を関連付けて記憶しており、
前記制御手段は、前記操作優先度に応じて前記ライトの輝度を変えて点灯制御することを特徴とする請求項１または２に記載の表示装置。
【請求項５】
コンピュータを、請求項１ないし４のいずれか１項に記載の表示装置における各手段として機能させるためのプログラム。
【発明の詳細な説明】
【技術分野】
【０００１】
本発明は、複数の操作ボタンを有する操作手段を備えた表示装置およびプログラムに関する。
【背景技術】
【０００２】
プロジェクタ等の表示装置は、リモートコントローラで遠隔操作できるようになっている。近年の表示装置の高機能化に伴い、リモートコントローラに実装される操作ボタンの数は、増加しつつある。ところが、リモートコントローラに配置される操作ボタン数が多くなると、使い方が複雑になり、ユーザが操作しようとするボタンが見つけるのが困難である。
【０００３】
一方、特許文献１には、リモートコントローラの操作ボタンが押されると、次に操作すべきボタンを点灯させて、ユーザにナビゲートするものが提案されている。
【特許文献１】特開２００７−３３６０６３号公報
【発明の開示】
【発明が解決しようとする課題】
【０００４】
ところが、特許文献１に示されている発明は、次に操作すべきボタンが決まっていることを前提にしている。ところが、ユーザが操作すべきボタンを特定するのは困難な場合が多く、このような場合、特許文献１に示すものでは、適切にナビゲートできない。
【０００５】
例えば、メニュー画面の状態では、メニュー画面を使って各種の操作が実行可能であり、ユーザがどのような操作をするのかを特定することは難しい。また、メニュー画面を表示しながら、ボリューム調整、映像切替ボタン等、メニュー画面での操作とは関係ない操作が行われる可能性もある。
【０００６】
上述の課題を鑑み、本発明は、各状態で操作可能なボタンを適切に示すことができる表示装置およびプログラムを提供することを目的とする。
【課題を解決するための手段】
【０００７】
上述の課題を解決するために、本発明は、ライトを内蔵したＮ個（但し、ＮはＮ≧２となる整数）の操作ボタンを有する操作手段と、複数の装置状態と、Ｎ個の操作ボタンのうち各装置状態において操作候補となるＭ個（但し、Ｍは２≦Ｍ≦Ｎとなる整数）の操作ボタンとを対応付けた対応テーブルを記憶する記憶手段と、装置状態の変化毎に対応テーブルを参照し、変化後の装置状態において操作候補となるＭ個の操作ボタンに内蔵されたライトを点灯させる制御手段と、を備えたことを特徴とする表示装置である。
【０００８】
本発明によれば、複数の装置状態と、Ｎ個の操作ボタンのうち各装置状態において操作候補となるＭ個の操作ボタンとを対応付けた対応テーブルを設けることで、各装置状態において操作可能（使用可能）な操作ボタンに内蔵されたライトを点灯して、各装置状態で操作可能な操作ボタンを適切に示すことができる。
【０００９】
上記の本発明において、操作手段は、表示装置本体を遠隔操作するためのリモートコントローラであって、制御手段は、操作候補となる各操作ボタンに内蔵されたライトを点灯させるためのライト点灯情報をリモートコントローラに送信することによって点灯制御することを特徴とする。
【００１０】
本発明によれば、リモートコントローラの操作ボタンに内蔵されたライトを点灯させて、各装置状態において操作可能な操作ボタンを知らせることができる。
【００１１】
上記の本発明において、Ｎ個の操作ボタンは、色違いの複数のライトを内蔵しており、且つ、対応テーブルは、各装置状態において操作候補となる各操作ボタンに対し、それぞれ操作優先度を関連付けて記憶しており、制御手段は、色違いの複数のライトのうち操作優先度に応じた色のライトを点灯させることを特徴とする。
【００１２】
本発明によれば、ライトの色の違いにより、操作の優先度を知らせることができる。
【００１３】
上記の発明において、対応テーブルは、各装置状態において操作候補となる各操作ボタンに対し、それぞれ操作優先度を関連付けて記憶しており、制御手段は、操作優先度に応じてライトの輝度を変えて点灯制御することを特徴とする。
【００１４】
本発明によれば、ライトの輝度の違いにより、操作の優先度を知らせることができる。
【００１５】
本発明は、コンピュータを、上記の表示装置における各手段として機能させるためのプログラムである。
【００１６】
本発明によれば、複数の装置状態と、Ｎ個の操作ボタンのうち各装置状態において操作候補となるＭ個の操作ボタンとを対応付けた対応テーブルを設けることで、各装置状態において操作可能な操作ボタンを表示する制御を行うことができる。
【発明を実施するための最良の形態】
【００１７】
以下、本発明の一実施形態に係る表示装置およびプログラムについて図面を参照しながら説明する。なお、ここでは、プロジェクタの操作をリモートコントローラで操作する場合について説明するが、本発明は、プロジェクタに限らず、テレビジョン受像機、ＶＴＲ(Video Tape Recorder)、ビデオディスク、ハードディスクビデオレコーダ、ＣＡＴＶ(Cable Television)のセットトップボックス、さらには、操作パネル付きのプリンタ、ファクシミリ、コピー機等、複数のボタンを操作するような表示装置には、全て適用可能である。
【００１８】
図１は、本発明の第１の実施形態に係るプロジェクタ１の全体構成を示すブロック図である。図１において、システムコントローラ１１（制御手段）は、装置全体の制御を行っている。システムコントローラ１１に対して、ＦＲＯＭ（Flash Read Only Memory）１２とＲＡＭ（Random Access Memory）１３とが設けられる。
【００１９】
システムコントローラ１１は、ＣＰＵ（Central Processing Unit）等で構成される。ＦＲＯＭ１２には、制御プログラムの他、各種の設定値が保存される。ＲＡＭ１３には、処理の実行で必要な一時データが読み出し／書き込みされる。
【００２０】
システムコントローラ１１には、入力部１４（操作手段）から入力が与えられる。入力部１４は、ユーザからの入力を受け付ける複数の操作ボタン（パネルキー）により構成される。入力部１４の各操作ボタンの下には、各操作ボタンに対応するＬＥＤ素子を配置してなるライトアレイ１８が設けられている。また、システムコントローラ１１には、送受光部１５を介して、リモートコントローラ１６（操作手段）からのコマンド信号が与えられる。また、システムコントローラ１１に対して、通信部１７が設けられる。この通信部１７を介して、外部の機器との間で、データのやり取りを行ったり、外部の機器との連携操作を行ったりすることができる。
【００２１】
リモートコントローラ１６には、多数の操作ボタンが配列されており、各操作ボタンには、各機能が割り振られている。本発明の第１の実施形態においては、多数の操作ボタンの中から、各装置状態で有効な操作候補となる操作ボタンのみを点灯させる（具体的には、操作ボタンに内蔵されたライトを点灯させる）ことで、各ユーザが操作すべき操作ボタンが把握し易いようにしている。このことについては、後に説明する。
【００２２】
光学ユニット２０は、スクリーン２９に入力ビデオ信号に基づく映像を投射するための光学系を構成している。光学ユニット２０は、ランプ２１と、レンズ２３と、ダイクロイックミラー２４ａ、２４ｂ、２４ｃと、反射ミラー２５ａ、２５ｂと、液晶パネル２６ａ、２６ｂ、２６ｃと、合成プリズム２７と、投射レンズ２８とを含んでいる。
【００２３】
ランプ２１は、例えばメタルハライドランプである。ランプ２１には、ランプ制御部２２から点灯駆動信号が送られる。これにより、ランプ２１は、システムコントローラ１１の制御の下に、白色光を照射する。ランプ２１からの光は、レンズ２３を透過して出射される。
【００２４】
ランプ２１からの光のうち赤色の成分は、Ｒ反射ダイクロイックミラー２４ａで反射され、反射ミラー２５ａを介して、液晶パネル２６ａに照射される。ランプ２１からの光のうち緑色の成分は、Ｇ反射ダイクロイックミラー２４ｂで反射され、液晶パネル２６ｂに照射される。ランプ２１からの光のうち青色の成分は、Ｂ反射ダイクロイックミラー２４ｃで反射され、反射ミラー２５ｂを介して、液晶パネル２６ｃに照射される。
【００２５】
液晶パネル２６ａ、２６ｂ、２６ｃは、それぞれ、Ｒ、Ｇ、Ｂの各色の像を形成するためのものである。各液晶パネル２６ａ、２６ｂ、２６ｃには、液晶コントローラ４８から、Ｒ、Ｇ、Ｂ各色のビデオ信号が供給される。液晶パネル２６ａ、２６ｂ、２６ｃの各画素の透過率は、液晶コントローラ４８からの各色のビデオ信号により変化する。
【００２６】
各色の液晶パネル２６ａ、２６ｂ、２６ｃの通過光は、合成プリズム２７で合成され、入力ビデオ信号に基づく光画像が形成される。この光画像は、投射レンズ２８を介して、スクリーン２９上に投影される。
【００２７】
投射レンズ２８のレンズ位置は、レンズ駆動モータ３０により調整できる。レンズ駆動部３１には、システムコントローラ１１から駆動信号が供給される。レンズ駆動モータ３０は、この駆動信号により、システムコントローラ１１の制御の下に、駆動される。
【００２８】
ソース信号入力部４１には、コンポジットビデオ信号、Ｓビデオ信号、コンポーネントビデオ信号、アナログＲＧＢ信号、ディジタルＲＧＢ信号等、複数種類のビデオ入力端子が配列されている。システムコントローラ１１からの映像切替信号により、ソース信号入力部４１に入力された各種のビデオ信号中から、所望の信号が選択される。選択されたビデオ信号は、入力映像変換部４２に送られる。
【００２９】
ソース信号入力部４１で選択されたビデオ信号は、入力映像変換部４２に送られる。入力映像変換部４２は、アナログの入力信号をディジタル化するＡ／Ｄ(Analog to Digital)変換部や、コンポジットカラービデオ信号からＲＧＢコンポーネントカラービデオ信号をデコードするデコーダ等を備えており、ソース信号入力部４１から送られてきた各種のビデオ信号を、所定の形式、例えばディジタルＲＧＢ信号に変換する。入力映像変換部４２からのビデオ信号は、イメージプロセッサ４５に送られる。
【００３０】
イメージプロセッサ４５は、入力ビデオ信号に対して、液晶パネル２６ａ、２６ｂ、２６ｃの画素数に応じたスケーリング処理を行う。また、イメージプロセッサ４５は、台形歪み等を補正するためのキーストーン補正を行う。イメージプロセッサ４５に対して、フレームメモリ４６が設けられており、スケーリング処理やキーストーン補正処理は、フレームメモリ４６を用いて行われる。また、イメージプロセッサ４５において、入力ビデオ信号に対して、液晶の面ムラ補正や、ガンマ補正処理等が行われる。
【００３１】
ＯＳＤ（On Screen Display）発生部４７は、システムコントローラ１１からの制御の下に、各種の表示信号を生成する。この表示信号は、イメージプロセッサ４５に送られ、投射するビデオ信号に合成される。
【００３２】
イメージプロセッサ４５からの出力信号は、液晶コントローラ４８に送られる。液晶コントローラ４８は、液晶パネル２６ａ、２６ｂ、２６ｃを駆動するための各種のタイミング信号を生成する。
【００３３】
また、液晶コントローラ４８は、ＲＧＢ各色のビデオ信号を画素毎にＤ／Ａ変換し、交流駆動を行うために、正極性のビデオ信号と負極性のビデオ信号を生成する。液晶コントローラ４８からの各色のビデオ信号は、液晶パネル２６ａ、２６ｂ、２６ｃにそれぞれ供給される。
【００３４】
前述したように、本発明の第１の実施形態においては、リモートコントローラ１６に配列されている多数の操作ボタンの中から、各状態で有効な操作候補となる操作ボタンのみを点灯させることで、各ユーザが操作すべき操作ボタンを把握し易いようにしている。このことについて、以下に説明する。
【００３５】
図２は、本発明の第１の実施形態における、リモートコントローラ１６とプロジェクタ１との間の制御を説明するためのブロック図である。
【００３６】
図２に示すように、本発明の第１の実施形態においては、プロジェクタ１側のＦＲＯＭ１２（記憶手段）に、プロジェクタの状態と、各状態で有効な操作候補となる操作ボタンとの対応を示す有効ボタンテーブル５０（対応テーブル）が設けられている。
【００３７】
リモートコントローラ１６には、ＣＰＵ５１と、送受光部５３と、入力キーアレイ５４と、ライトアレイ５５とが設けられる。また、ＣＰＵ５１に対して、ＦＲＯＭ５６およびＲＡＭ５７が設けられる。
【００３８】
入力キーアレイ５４は、リモートコントローラ１６上に配置される複数の操作ボタンを構成している。ＦＲＯＭ５６には、入力キーアレイ５４の操作に対応するコマンド信号が記憶されている。ライトアレイ５５は複数のＬＥＤ素子からなる。入力キーアレイ５４の操作ボタンは、例えば透光性を有し、各操作ボタンの下には、ライトアレイ５５中の各操作ボタンに対応するＬＥＤ素子が配置されている。
【００３９】
入力キーアレイ５４が操作されると、ＦＲＯＭ５６からこれに対応するコマンド信号が読み出される。このコマンド信号は、送受光部５３を介して、赤外線によりプロジェクタ１に送信される。
【００４０】
プロジェクタ１は、リモートコントローラ１６からのコマンドを受信すると、受信したコマンドに対応する動作設定を行う。そして、ＦＲＯＭ１２の有効ボタンテーブル５０を参照して、現在のプロジェクタ１の状態から次に有効となる操作ボタンのライト点灯情報を取得し、このライト点灯情報をリモートコントローラ１６に送信する。
【００４１】
リモートコントローラ１６は、プロジェクタ１から送られてきたライト点灯情報を受信する。このライト点灯情報は、ＣＰＵ５１に送られる。リモートコントローラ１６のＣＰＵ５１は、このライト点灯情報に基づいて、ライトアレイ５５中の対応する操作ボタンのＬＥＤ素子を点灯させる。これにより、リモートコントローラ１６に配列されている多数の操作ボタンの中から、各状態で有効な操作ボタンのみが点灯されることとなる。
【００４２】
図３は、本発明の第１実施形態におけるプロジェクタ１とリモートコントローラ１６との間の処理を示すフローチャートである。図３において、リモートコントローラ１６のＣＰＵ５１は、入力キーアレイ５４を構成する操作ボタンのうちいずれかが押されると（ステップＳ１）、押された操作ボタンに対応するコマンド信号を送信する（ステップＳ２）。
【００４３】
一方、プロジェクタ１のシステムコントローラ１１は、リモートコントローラ１６からのコマンドを受信したかどうかを判断しており（ステップＳ１０１）、リモートコントローラ１６からのコマンドを受信すると、受信したコマンドに対応する動作設定を行う（ステップＳ１０２）。そして、プロジェクタ１のシステムコントローラ１１は、ＦＲＯＭ１２の有効ボタンテーブル５０を参照して、現在のプロジェクタ１の状態から次に有効となる操作ボタンのライト点灯情報を取得し（ステップＳ１０３）、このライト点灯情報をリモートコントローラ１６に送信する（ステップＳ１０４）。
【００４４】
リモートコントローラ１６のＣＰＵ５１は、ステップＳ３で、プロジェクタ１から送られてきたライト点灯情報を受信すると、このライト点灯情報に基づいて、ライトアレイ５５中のＬＥＤ素子の中から対応する操作ボタンのものを点灯させ（ステップＳ４）、ステップＳ１にリターンする。
【００４５】
なお、上述の例では、プロジェクタ１のＦＲＯＭ１２に有効ボタンテーブル５０を設け、リモートコントローラ１６でプロジェクタ１からのライト点灯情報を取得しているが、有効ボタンテーブル５０は、リモートコントローラ１６側に設けても良い。
【００４６】
また、上述の例では、リモートコントローラ１６での処理について説明したが、リモートコントローラ１６だけに限らず、プロジェクタ１の入力部１４のパネルキーについても、配列されている多数の操作ボタンの中から、各状態で有効な操作ボタンのみを点灯させるようにしても良い。
【００４７】
また、操作ボタンは、色違いのライトを内蔵させ、有効ボタンテーブル５０に、各状態において操作候補となる各操作ボタンに対し、それぞれ操作優先度を関連付けて記憶させ、優先度に応じて、各操作ボタンを異なる表示色で点灯させるようにしてもよい。
【００４８】
例えば、優先度「高」の操作ボタンは、ユーザの望むであろう機能を実現するためにユーザが次に操作するであろうボタンである。メニューの設定をしている状態なら、メニューの選択ボタン、戻るボタン、決定ボタン等が優先度「高」の操作ボタンとなることが考えられる。
【００４９】
優先度「中」の操作ボタンは、ユーザの望むであろう機能を実現するものではないが、機能は実行できるボタンである。メニューの設定をしている状態なら、ボリューム調整、映像切替ボタン等が優先度「中」の操作ボタンとなることが考えられる。
【００５０】
無効ボタンは、操作しても何も起こらない操作ボタンである。例えば、優先度「高」の操作ボタンは赤色に点灯させ、優先度「中」の操作ボタンは黄色に点灯させ、無効ボタンは点灯させないことが考えられる。
【００５１】
また、有効ボタンテーブル５０に、各状態において操作候補となる各操作ボタンに対し、それぞれ操作優先度を関連付けて記憶させ、優先度に応じて、各操作ボタンに対応するＬＥＤ素子を、輝度を変えて点灯させるようにしてもよい。
【００５２】
例えば、優先度「高」の操作ボタンは高い輝度で点灯させ、優先度「中」の操作ボタンは輝度を小さくして点灯させ、無効ボタンは点灯させないことが考えられる。
【００５３】
続いて、本発明の具体例を説明する。図４は、リモートコントローラ１６の配列の一例を示し、図５は、入力部１４のパネルキーの配列の一例を示すものである。
【００５４】
図４に示すように、リモートコントローラ１６には、電源ボタン１０１、映像切替ボタン１０２、メニューボタン１０３、決定ボタン１０４、キャンセルボタン１０５、ヘルプボタン１０６、方向ボタン１０７、ズームボタン１０８ａおよび１０８ｂ、数字ボタン１０９、ＡＶミュートボタン１１０およびボリュームボタン１１１が配置されている。
【００５５】
図５に示すように、プロジェクタ１の入力部１４には、パネルキーとして、電源ボタン２０１、映像切替ボタン２０２、メニューボタン２０３、決定ボタン２０４、キャンセルボタン２０５、ヘルプボタン２０６、方向ボタン２０７が配置されている。リモートコントローラ１６の操作ボタンと、入力部１４の操作ボタンとは、同等の働きをする。
【００５６】
図６は、図４および図５に示すようなキー配列のリモートコントローラ１６および入力部１４のキーの発光の一例を示すものである。図６では、通常状態のときの各操作ボタンの発光状態と、メニュー表示中の各操作ボタンの発光状態と、パスワード入力中の各操作ボタンの発光状態を示している。図において、「ＯＮ」が発光中の操作ボタンを示し、「ＯＦＦ」が消灯中の操作ボタンを示す。この例では、操作ボタンの数Ｎは（Ｎ＝１１）である。
【００５７】
通常状態のときには、Ｎ個（Ｎ＝１１）の操作ボタンのうち、Ｍ個（Ｍ＝７）の操作ボタンが有効ボタンとして点灯状態となる。メニュー表示中には、Ｎ個（Ｎ＝１１）の操作ボタンのうち、Ｍ個（Ｍ＝５）の操作ボタンが有効ボタンとして点灯状態となる。パスワード入力中には、Ｎ個（Ｎ＝１１）の操作ボタンのうち、Ｍ個（Ｍ＝５）の操作ボタンが有効ボタンとして点灯状態となる。
【００５８】
図７は、図４および図５に示すようなキー配列のリモートコントローラ１６および入力部１４のキーの発光の他の例を示すものである。この例では、優先度に応じた色分け表示も行うようにしている。
【００５９】
通常状態のときには、Ｎ個（Ｎ＝１１）の操作ボタンのうち、Ｍ個（Ｍ＝７）の操作ボタンが、優先度が高い有効ボタンとして赤色の点灯状態となる。メニュー表示中には、Ｎ個（Ｎ＝１１）の操作ボタンのうち、１０個（Ｍ＝１０）の操作ボタンが有効ボタンとして点灯状態となり、このうち、５個の操作ボタンが優先度が高い有効ボタンとして赤色の点灯状態となり、５個の操作ボタンが優先度が低い有効ボタンとして黄色の点灯状態となる。パスワード入力中には、Ｎ個（Ｎ＝１１）の操作ボタンのうち、Ｍ個（Ｍ＝５）の操作ボタンが有効ボタンとして点灯状態となり、このうち、４個の操作ボタンが優先度が高い有効ボタンとして赤色の点灯状態となり、１個が優先度が低い有効ボタンとして黄色の点灯状態となる。
【００６０】
以上説明したように、本発明の実施形態では、プロジェクタ１側のＦＲＯＭ１２に、プロジェクタ１の状態と、各装置状態で有効な操作候補となる操作ボタンとの対応を示す有効ボタンテーブル５０が設けられており、各装置状態において、有効となる操作ボタンが点灯される。これにより、ユーザは、リモートコントローラに配設されている多数の操作ボタンの中から、有効可能な操作ボタンを簡単に見つけて、適切な操作を行うことができる。
【００６１】
本発明は、上述した実施形態に限定されるものではなく、この発明の要旨を逸脱しない範囲内で様々な変形や応用が可能である。例えば、上述の例のプロジェクタ１は、液晶表示方式を採用しているが、ＣＲＴ表示方式やライトスイッチ表示方式（マイクロミラーデバイス方式）など、表示原理は問わない。
【図面の簡単な説明】
【００６２】
【図１】本発明の第１の実施形態のプロジェクタの全体構成を示すブロック図である。
【図２】本発明の第１の実施形態のプロジェクタとリモートコントローラとの制御を説明するためのブロック図である。
【図３】本発明の第１の実施形態のプロジェクタとリモートコントローラとの制御を説明するためのフローチャートである。
【図４】本発明の第１の実施形態のプロジェクタにおけるリモートコントローラの説明図である。
【図５】本発明の第１の実施形態のプロジェクタの入力部の説明図である。
【図６】本発明の第１の実施形態のプロジェクタにおけるボタン表示の一例の説明図である。
【図７】本発明の第１の実施形態のプロジェクタにおけるボタン表示の他の例の説明図である。
【符号の説明】
【００６３】
１：プロジェクタ  １１：システムコントローラ  １４：入力部  １５：送受光部  １６：リモートコントローラ  １８：ライトアレイ  ５０：有効ボタンテーブル  ５１：ＣＰＵ  ５３：送受光部  ５４：入力キーアレイ  ５５：ライトアレイ  ５６：入力キーアレイ
【図１】
2009217663.tif 000003
【図２】
2009217663.tif 000004
【図３】
2009217663.tif 000005
【図４】
2009217663.tif 000006
【図５】
2009217663.tif 000007
【図６】
2009217663.tif 000008
【図７】
2009217663.tif 000009